(57)【要約】【課題】大量生産適格性を改善し、製造プロセスを加速させるように４点サスペンションアームを更に発展させる。【解決手段】コア要素２と、糸３と、４つのブッシュ６とを含む、車両の車輪懸架部のための４点サスペンションアーム１であって、糸３が樹脂によってあらかじめ含浸されており、さらに、コア要素２が、ねじり要素４と、該ねじり要素４と一体的に結合された４つの支持アーム５とを備えており、コア要素２及び各ブッシュ６が糸３で巻き付けられており、各ブッシュ６が、各軸受要素を収容するために各支持アーム５の各先端部に配置されており、各ブッシュ６が定着要素を備えており、該定着要素とブッシュ６の間にアンダーカット部が形成されており、コア要素２が、該コア要素２の支持アーム５とのブッシュ６の係合式の結合のためにアンダーカット部に係合している。
2020517514.tif 000002
【特許請求の範囲】
【請求項１】
コア要素（２）と、糸（３）と、４つのブッシュ（６）とを含む、車両の車輪懸架部のための４点サスペンションアーム（１）であって、前記糸（３）が樹脂によってあらかじめ含浸されており、さらに、前記コア要素（２）が、ねじり要素（４）と、該ねじり要素（４）と一体的に結合された４つの支持アーム（５）とを備えており、前記コア要素（２）及び前記各ブッシュ（６）が、少なくとも部分的に前記糸（３）で巻き付けられており、前記各ブッシュ（６）が、各軸受要素を収容するために前記各支持アーム（５）の各先端部に配置されており、前記各ブッシュ（６）が少なくとも１つの定着要素（１０）を備えており、該少なくとも１つの定着要素（１０）と前記ブッシュ（６）の間に少なくとも１つのアンダーカット部（１４）が形成されており、前記コア要素（２）が、該コア要素（２）の前記支持アーム（５）との前記ブッシュ（６）の係合式の結合のために前記アンダーカット部（１４）に係合していることを特徴とする４点サスペンションアーム。
【請求項２】
前記少なくとも１つの定着要素（１０）が、少なくとも１つのウェブ（１６）を介して前記各ブッシュ（６）と一体的に結合されており、前記少なくとも１つのウェブ（１６）が、前記糸（３）の収容及びガイドのためにそれぞれガイド面（１７）を備えていることを特徴とする請求項１に記載の４点サスペンションアーム（１）。
【請求項３】
前記各ブッシュ（６）が、中空空間（１８）を包囲する２つのウェブ（１６）を備えており、前記両ウェブ（１６）が、前記支持アーム（５）の方向へ合流するとともに前記定着要素（１０）へつながっており、前記少なくとも１つの定着要素（１０）が２つの溝（１９）を備えており、該溝が、前記コア要素（２）を収容する前記各アンダーカット部（１４）を形成しているとともに、前記コア要素（２）の前記支持アーム（５）との前記ブッシュ（６）の係合式の結合のために設けられていることを特徴とする請求項１又は２に記載の４点サスペンションアーム（１）。
【請求項４】
前記各ブッシュ（６）が、前記糸（３）を収容及びガイドするための２つのガイドアーム（１１）を備えていることを特徴とする請求項１〜３のいずれか１項に記載の４点サスペンションアーム（１）。
【請求項５】
前記少なくとも１つの定着要素（１０）が、前記糸（３）を収容し、交点（２１）へガイドする少なくとも１つの側面（２０）を備えていることを特徴とする請求項１〜４のいずれか１項に記載の４点サスペンションアーム（１）。
【請求項６】
前記各ブッシュ（６）が２つの定着要素（１０）を備えており、該定着要素が、前記糸（３）を収容及びガイドするために前記交点（２１）へ合流しているとともに先端部（１５）において互いに結合されており、該先端部（１５）には、前記ブッシュ（６）の方向へ前記コア要素（２）を収容する少なくとも１つの空隙部（２２）が形成されており、前記コア要素（２）が、前記ブッシュ（６）を前記コア要素（２）の前記支持アーム（５）と係合式に結合させる前記アンダーカット部（１４）に係合していることを特徴とする請求項１〜５のいずれか１項に記載の４点サスペンションアーム（１）。
【請求項７】
ちょうど１つの糸（３）が、前記コア要素（２）及び前記各ブッシュ（６）に複数回巻き付けられていることを特徴とする請求項１〜６のいずれか１項に記載の４点サスペンションアーム（１）。
【請求項８】
前記コア要素（２）が発泡材料で形成されていることを特徴とする請求項１〜７のいずれか１項に記載の４点サスペンションアーム（１）。
【請求項９】
前記各ブッシュ（６）が金属材料で形成されていることを特徴とする請求項１〜８のいずれか１項に記載の４点サスペンションアーム（１）。
【請求項１０】
前記糸（３）が、前記各支持アーム（５）において、前記各支持アーム（５）の各長手軸線（７）に対して本質的に平行にガイドされていることを特徴とする請求項１〜９のいずれか１項に記載の４点サスペンションアーム（１）。
【請求項１１】
前記糸（３）が、前記各支持アーム（５）の各端面（８）において、前記各支持アーム（５）の各長手軸線（７）に対して１５〜４５°の角度範囲でガイドされていることを特徴とする請求項１〜１０のいずれか１項に記載の４点サスペンションアーム（１）。
【請求項１２】
前記糸（３）が、前記ねじり要素（４）において、当該４点サスペンションアーム（１）の長手軸線（９）に対して４０〜６０°の角度範囲でガイドされていることを特徴とする請求項１〜１１のいずれか１項に記載の４点サスペンションアーム（１）。
【請求項１３】
巻付けプロセス中に前記糸を収容及びガイドするために、前記各ブッシュ（６）が前記各支持アーム（５）よりも大きな幅を有していることを特徴とする請求項１〜１２のいずれか１項に記載の４点サスペンションアーム（１）。
【発明の詳細な説明】
【技術分野】
【０００１】
本発明は、車両の車輪懸架部、特に乗用車又は商用車の車輪懸架部のための４点サスペンションアームに関するものである。
【背景技術】
【０００２】
４点サスペンションアームは、車両フレームにおいてリジッドアクスルを緩衝可能にガイドするために、特に商用車において用いられる。このとき、４点サスペンションアームは、アクスルの横方向ガイド及び長手方向ガイドを担う。さらに、４点サスペンションアームは、スタビライザの機能も満たす。
【０００３】
特許文献１から、特に商用車のリジッドアクスルの車輪懸架部のための４点サスペンションアームが知られている。４点サスペンションアームは４つの軸受孔部を備えており、当該軸受孔部のうち２つの軸受孔部はアクスルにリンク式に結合可能であり、２つの軸受孔部は車両フレームにリンク式に結合可能である。４点サスペンションアームは、一体的なねじれ可能なものとして、及び軸受によって規定された四角形状あるいは台形状の中空ハウジングとして形成されている。中空ハウジングは、本質的に、車両に関して横向きに配置されて複数の側で開放された、本質的にＯ字状まで丸められた四角形状の断面を有するパイプによって形成されている。
【先行技術文献】
【特許文献】
【０００４】
【特許文献１】独国特許出願公開第１０２００４０１４６１０号明細書
【発明の概要】
【発明が解決しようとする課題】
【０００５】
本発明の基礎となる課題は、車両の車輪懸架部のための４点サスペンションアームを更に発展させることにあり、特に大量生産適格性を改善し、製造プロセスを加速させるべきである。
【課題を解決するための手段】
【０００６】
上記課題は、請求項１の主題によって解決される。好ましい実施形態は、従属請求項の主題である。
【０００７】
本発明による、車両の車輪懸架部のための４点サスペンションアームは、コア要素と、糸と、４つのブッシュとを含んでおり、前記糸が樹脂によってあらかじめ含浸されており、さらに、コア要素が、ねじり要素と、該ねじり要素と一体的に結合された４つの支持アームとを備えており、前記コア要素及び前記各ブッシュが、少なくとも部分的に前記糸で巻き付けられており、前記各ブッシュが、各軸受要素を収容するために前記各支持アームの各先端部に配置されており、前記各ブッシュが少なくとも１つの定着要素を備えており、該少なくとも１つの定着要素と前記ブッシュの間に少なくとも１つのアンダーカット部が形成されており、前記コア要素が、該コア要素の前記支持アームとの前記ブッシュの係合式の結合のために前記アンダーカット部に係合している。
【０００８】
車輪懸架部は、車両の車輪を操舵可能及び／又は緩衝可能に車両の車体及び／又はフレームに結合させる装置と理解される。車両は、原動機付き車両であってよく、特に、商用車又は乗用車であってよい。
【０００９】
コア要素は、本質的に、４点サスペンションアームの形状を形成するために設けられている。したがって、コア要素は、負荷を受容するためではなく、ストラングの堆積あるいは巻き付けのためにのみ設けられている。換言すれば、車両アクスルあるいは車輪懸架部により導入される負荷及び力は、糸から形成された４点サスペンションアームの外層によってのみ受容される。したがって、糸は、少なくとも嵌合式に４つのブッシュに結合されている。加えて、糸は、係合式に４つのブッシュに結合されることも可能である。
【００１０】
４つの支持アームは、車両アクスル又は車輪支持部を車両のフレーム及び／又は車体に結合するために設けられている。このために、２つの支持アームは車両アクスル又は車輪支持部にリンク式に結合されている一方、他の２つの支持アームは、車両の車体又はフレームにリンク式に結合されている。ねじり要素を介して支持アームは互いに結合されている。リンク式にとは、ここでは、少なくとも１つの軸線周りに旋回可能であることを示している。ねじり要素は、４つの支持アームを旋回に対して安定化させるために用いられる。支持アーム及びねじり要素は、各支持アームの旋回、すなわち、ねじれ軸線を中心とした各支持アームの旋回がねじり要素のねじれを伴うように配置されている。ねじりトルクによりねじれが生じ、当該ねじりトルクを、各支持アームが旋回時にねじり要素へ作用させる。
【００１１】
本発明による４点サスペンションアームにより、製造、特に巻付け時の糸の方向付けに基づき、ロール安定化についての所定のねじり剛性の調整、アクスルをガイドする大きな横安定性の調整、より良好な快適特性についての所定の長手可撓性の調整及びバネストロークについての所定の運動機構あるいは弾性運動機構の記述の調整が可能となる。特に、運動機構ほぼ全体を４点サスペンションアーム自体によって描写することができ、したがって、ブッシュに収容された軸受要素、特にゴム軸受を負荷解除することが可能である。
【００１２】
各ブッシュの定着要素は、本質的に、ブッシュを係合式に支持アームに結合するために設けられている。特に、定着要素は、４点サスペンションアームにおける引張力及び圧縮軸方向力、横力並びに垂直力を導入し、特に、垂直力は、係合部を介してブッシュから４点サスペンションアームへ導入される。また、各ブッシュと各支持アームの間の係合式の結合は、巻付けプロセス時に遠心力を妨害する。
【００１３】
少なくとも１つの定着要素の本発明による構成形態は、パイプ状のブッシュ部分と定着要素の間にアンダーカット部あるいはアンダーカット構造部を形成するようになっており、アンダーカット部は、コア要素の製造時にコア要素の発泡材料によって満たされ、したがって、ブッシュを係合式にコア要素に結合させ、更に回転に対して固定する。したがって、巻付けプロセスの開始時には既に支持アームの長手方向における各ブッシュと支持アームの間の係合式の結合が存在するため、巻付けプロセスをより早期に加速することができるか、又は最初から大きな速度で行うことが可能である。これにより、本発明による４点サスペンションアームの製造プロセスが本質的に加速される。
【００１４】
糸又は糸群は、好ましくは樹脂で包囲された多数の無端繊維で構成されている。糸群は、束にまとめられた複数の糸と理解され得る。当該束は、ここでも糸である。特に、糸は、コア要素の巻付け直前に含浸されることが可能であるか、又は樹脂で含浸された糸、特にいわゆるトウプレグ半製品又はプレプレグ糸を用いることが可能である。湿式巻付け方法では、糸は、巻付け直前に樹脂に含浸され、コア要素の周りに巻き付けられる。コア要素への糸の最大堆積速度は、例えば巻付け中の遠心力による樹脂損失に基づき、約０．５ｍ／ｓであり得る。これに対し、あらかじめ含浸された糸を用いた堆積速度は、大きく増大され得る。なぜなら、樹脂はより粘性が大きく、したがって、遠心力がわずかな影響を有するためである。したがって、糸は、繊維合成樹脂複合材料で成形されている。好ましくは、糸は、炭素繊維強化合成樹脂、ガラス繊維強化合成樹脂、アラミド繊維強化合成樹脂又は他の適切な繊維合成樹脂複合材料で成形されている。
【００１５】
構成要素の好ましい発展形成では、糸が緊張されており、すなわち糸の応力を生じさせる力で負荷を受けている。結果として、糸は、各支持アーム及びねじり要素と嵌合式に結合されている。好ましくは、糸は、各支持アームの旋回が支持アームとの糸の嵌合によって、ここでも糸とねじり要素の間の嵌合を介してねじり要素へ伝達される糸へ作用する力が生起されるように延びている。このとき、生起された力は、糸の応力の拡大をもたらす。
【００１６】
好ましくは、少なくとも１つの定着要素は、少なくとも１つのウェブを介して各ブッシュと一体的に結合されており、少なくとも１つのウェブは、糸の収容及びガイドのためにそれぞれガイド面を備えている。これにより、ウェブと当該ウェブに接触する糸部分の間の嵌合式の結合が形成される。したがって、少なくとも１つのウェブは、リング状のブッシュ部分と定着要素の間の結合要素として設けられている。
【００１７】
好ましくは、各ブッシュは、中空空間を包囲する２つのウェブを備えており、両ウェブは、支持アームの方向へ合流するとともに定着要素へ開口しており、少なくとも１つの定着要素が２つの溝を備えており、該溝が、コア要素を収容する各アンダーカット部を形成しているとともに、コア要素の支持アームとのブッシュの係合式の結合のために設けられている。中空空間は、特にブッシュの質量軽減に寄与し、したがって空であるか、あるいは空気で満たされている。しかし、中空空間を充填材料、特に発泡材料で満たすことも考えられる。
【００１８】
好ましい実施形態によれば、各ブッシュは、糸を収容及びガイドする２つのガイドアームを備えている。ガイドアームは、接線方向において、ブッシュのリング状のリング部分に配置されているとともに、互いに本質的に平行に形成されている。両ガイドアームは、特にブッシュと糸の間の嵌合式の結合を改善するとともに、ブッシュと各支持アームの間の嵌合式の結合もより大きな結合面によって改善する。
【００１９】
さらに、好ましくは、少なくとも１つの定着要素は、糸を収容し、交点へガイドする少なくとも１つの側面を備えている。このとき、ガイド面は定着要素の各側面を有する平面にあり、これに代えて、少なくとも１つの定着要素は、２つ又はそれより多くの側面を備えることも可能である。交点は、２つの糸部分が巻付けプロセス時に交差する点と理解され得る。したがって、ブッシュの各巻付け時には、糸の少なくとも２つの部分が直接重なり合っているとともに、交点を形成する。複数の交点の重なりを避けるために、したがって、交点の高さを低減するために、糸部分は幅へ変位されることが可能であり、その結果、交点の幅が増大する。特に、交点の糸延長及び形成により枠組みが形成され、当該枠組みは、改善された負荷受容部及び負荷分配部を実現している。したがって、糸の巻付けは、目的をもった糸ガイドによって、繊維枠組みを形成している。
【００２０】
これに代えて、定着要素には少なくとも２つの定着脚部を形成することができ、当該定着脚部の間には凹部が形成されており、当該凹部は、コア要素における定着要素の接触面を拡大し、糸部分の交点における割裂引張力及び割裂圧縮力の発生を回避する。これにより、圧縮負荷をより良好にブッシュから４点サスペンションアームへ導入することができる。なぜなら、割裂引張力による応力集中（応力超過）が糸部分の交点において回避されるためである。
【００２１】
好ましくは、各ブッシュが２つの定着要素を備えており、該定着要素は、糸を収容及びガイドするために交点へ合流しているとともに先端部において互いに結合されており、該先端部には、ブッシュの方向へコア要素を収容する少なくとも１つの空隙部が形成されており、コア要素は、ブッシュをコア要素の支持アームと係合式に結合させるアンダーカット部に係合している。少なくとも１つの空隙部は、両定着要素を少なくとも部分的にあるいは一部において少なくとも２つの部分に分割する。両定着要素を互いに結合する先端部は、好ましくは丸められて形成されている。このとき、有利には、改善された応力分布及び糸の交点における応力集中の防止である。
【００２２】
本発明は、ちょうど１つの糸が、コア要素及び各ブッシュに複数回巻き付けられていることという技術的な示唆を含んでいる。特に、糸は、７〜１１ｋｍ、好ましくは９ｋｍの長さを有しているとともに、自動化されて巻付け軸からほどかれ、４点サスペンションアームを形成するためにロボットによってコア要素へ巻き付けられる。しかし、また、４点サスペンションアームを形成するために、２つ又はそれより多くのロボットが同時にコア要素を各糸で巻き付けることも考えられる。
【００２３】
好ましくは、コア要素は発泡材料で形成されている。特に、コア要素は固体で軽量の永続的な発泡材料で形成されている。好ましくは、発泡材料は、ポリマー、例えばポリウレタン、ポリスチロール又はポリメタクリルイミドで形成されている。また、コア要素は、インライナコア、ロストコア又はブローコアとしても形成されることが可能である。本質的に、特にコア要素の特性は、糸で巻き付けられることができ、したがって形状付与物として用いられる。
【００２４】
好ましくは、各ブッシュは、金属材料で形成されている。特に、ブッシュは、鋼合金又は軽金属合金、特にアルミニウム合金又はマグネシウム合金で形成されている。また、ブッシュは、押出プレスによって形成される。また、ブッシュは、少なくとも部分的にコア要素と接着されている。
【００２５】
好ましい実施例によれば、糸は、各支持アームにおいて、各支持アームの各長手軸線に対して本質的に平行にガイドされている。好ましくは、糸は、径方向において、各支持アーム及び当該支持アームと一体的に結合されたねじり要素に巻き付けられている。特に、フレーム側の両支持アームは、糸が連続的な巻付けプロセスにおいてコア要素に堆積され得るように、ねじり要素からほどかれる。支持アームは、本質的に、曲げを受容するために設けられている。
【００２６】
好ましくは、糸は、各支持アームの各端面において、各支持アームの各長手軸線に対して１５〜４５°の角度範囲でガイドされている。これにより、例えば、横力により生じるせん断応力を受容することが可能である。好ましくは、支持アームは、各端面において枠組み状に糸で巻き付けられている。これにより、各支持アームは、軽量構造で補強される。
【００２７】
また、好ましくは、糸は、ねじり要素において、４点サスペンションアームの長手軸線に対して４０〜６０°の角度範囲でガイドされている。ねじり要素は、特に、ねじりに基づいて増大するせん断応力によって負荷を受ける。特に、ねじり要素の全表面は、糸で覆われ、特に複数回巻付けられている。好ましくは、コア要素の全表面は、糸で覆われ、特に複数回巻付けられている。
【００２８】
好ましくは、各ブッシュは、巻付けプロセス中に糸をガイドする支持アームの各コア要素よりも大きな幅を有している。このことは、ブッシュの範囲における所望の糸のガイドをサポートするものである。糸は、直接ブッシュの周囲で、及びコア要素に沿ってガイドされる。各ブッシュにおける定着要素の形成により、支持アームに対して平行に、及び特に定着要素によって規定された角度で糸をガイドすることが可能となる。
【００２９】
以下では、本発明の好ましい実施例を、同一又は類似の要素には同一の符号が付された図面に基づいて詳細に説明する。
【図面の簡単な説明】
【００３０】
【図１】本発明による４点サスペンションアームの概略的な平面図である。
【図２】図１による本発明の４点サスペンションアームの概略的な側面図である。
【図３ａ】第１の実施例による、部分的に図示された支持アームに配置されたブッシュの概略的な斜視図である。
【図３ｂ】図３ａによる糸を用いた巻付けを図示するブッシュの概略的な斜視図である。
【図４ａ】第２の実施例によるブッシュの概略的な斜視図である。
【図４ｂ】図４ａによる糸を用いた巻付けを図示するブッシュの概略的な斜視図である。
【図５ａ】第３の実施例によるブッシュの概略的な斜視図である。
【図５ｂ】図５ａによる糸を用いた巻付けを図示するブッシュの概略的な斜視図である。
【図６ａ】第４の実施例によるブッシュの概略的な斜視図である。
【図６ｂ】図６ａによる糸を用いた巻付けを図示するブッシュの概略的な斜視図である。
【発明を実施するための形態】
【００３１】
図１によれば、本発明による４点サスペンションアーム１は、ここでは不図示の車両のここでは不図示の車輪懸架部のために、コア要素２、糸３及びブッシュ６を含んでいる。糸３は、例示的であるとともに、非常に簡易化して図示されている。特に、糸３は、本質的に４点サスペンションアーム１の全表面を形成している。コア要素２は、トーション要素４と、当該トーション要素４と一体的に結合された４つの支持アーム５とで構成されている。各支持アーム５の各先端部には、それぞれ、ここでは不図示の軸受要素、特に分子状ジョイントを収容するブッシュ６が配置されているとともに各支持アーム５と係合式に結合されている。４点サスペンションアームは、例えば、けん引用トラックにおいてシャシ連結部として用いられ、このとき、Ａアーム及びスタビライザの役割を担う。したがって、４点サスペンションアーム１は、横方向ガイドと、決定的にはアクスルの長手方向ガイドとを担う。また、４点サスペンションアーム１を介して、ロール安定化も図示されている。
【００３２】
コア要素２及び各ブッシュ６が少なくとも部分的に糸３によって巻き付けられていることによって、各ブッシュ６及び糸３は、少なくとも嵌合式に互いに結合されている。コア要素２は、負荷を伝達せず、糸３についての形状付与にのみ用いられる。糸３は、多数の無端の繊維で構成されているとともに、樹脂によってあらかじめ含浸されている。これに対して、コア要素２は、発泡材料で形成されている。また、各ブッシュ６は、押出プレス法において、金属材料、特にアルミニウムで形成されている。コア要素２、糸３及び４つのブッシュは、固有の接合部を有するほぼ一体構造を備えている。ちょうど１つ糸３が、コア要素２及び各ブッシュ６に複数回巻き付けられている。このとき、曲げ応力を受容するために、糸３は、各支持アーム５においては、各支持アーム５の各長手軸線７に対して本質的に平行にガイドされている。また、糸３は、トーション要素４においては、ねじりによるせん断応力を受容するために、４点サスペンションアーム１の長手軸線９に対して約５０°の角度でガイドされている。
【００３３】
図２には、図１に図示された４点サスペンションアーム１が側面図で示されている。また、糸３は、各支持アーム５の各端面８においては、横方向力によるせん断応力を受容するために、各支持アーム５の各長手軸線７に対して約２０°の角度でガイドされている。図２から、特に、完成された４点サスペンションアーム１の平坦な構造を伴うコア要素２の平坦な構造が見て取れる。これにより、構造空間が削減される。また、各支持アーム５の各先端部は、少なくとも部分的に各ブッシュ６に対して相補的に形成されている。
【００３４】
図３ａ〜図６ｂには、本発明による４点サスペンションアーム１の各ブッシュ６の４つの実施例が例示的に図示されている。特に、４つの支持アーム５のうち１つの先端部が図示されている。以下に、４つの支持アーム５のうち１つを説明するが、当該説明は、同様に形成された他の３つのコア要素２の支持アーム５についても当てはまる。ブッシュ６は、定着要素１０に一体的に結合されている。定着要素１０は、ブッシュ６をコア要素２の支持アーム５と係合式に結合させるために設けられている。定着要素１０は、巻付けプロセスにおいて生じる遠心力を支持アーム５へ導入するために設けられている。これにより、巻付けプロセスを最初から大きな速度で行うことが可能である。巻付けプロセス中に糸３をガイドするために、ブッシュ６は、各支持アーム５よりも大きな幅を有している。
【００３５】
図３ａ及び図３ｂによれば、第１の実施例では、定着要素１０が２つのウェブ１６を介してブッシュ６と一体的に形成されている。したがって、ブッシュ６は、中空空間１３を包囲する２つのウェブ１６を備えており、両ウェブ１６は、定着要素１０の方向へ合流し、定着要素１０へ開口している。空間的に定着要素１０とブッシュ６の間には、各側における定着要素１０においてそれぞれ溝１９が形成されており、当該溝は、コア要素２を収容する各アンダーカット部１４を形成している。支持アーム５を形成するコア要素２は、アンダーカット部１４に係合するとともに、ブッシュ６を係合式にコア要素２の支持アーム５に結合させるものである。また、各ウェブ１６は、図３ｂに図示された糸３の収容及びガイドのための各ガイド面１７を形成している。定着要素１０には２つの定着脚部１２が形成されており、当該定着脚部１２の間には凹部２３が形成されており、当該凹部は、コア要素２の支持アーム５における定着要素１０の接触面を拡大させる。各ガイド面１７は、１つの平面において各定着脚部１２の側面２０と共に配置されている。
【００３６】
図３ｂによれば、糸３は、両ガイド面１７及び両側面２０に接触するとともに、両側面２０を介して共通の交点２１へガイドされる。また、糸３は、ブッシュ６の周囲で、及び長手方向において支持アーム５に沿って径方向にもガイドされる。横方向力に基づくせん断応力を受容するために、糸３は、支持アーム５の各端面８において、約２０°の角度で支持アーム５の長手方向においてガイドされており、当該角度は、定着要素１０の幾何形状によって設定される。コア要素２は、凹部２３において、鋭角に合流する部分２４を形成しており、当該部分は、糸３を収容し、交点２１へ向けてガイドするために設けられている。
【００３７】
図４ａによれば、第２の実施例では、ブッシュ６は２つの定着要素１０を備えている。両定着要素１０は、図４ｂに図示された支持アーム５の長手軸線に関して約２０°の角度で合流する。
【００３８】
図４ｂによれば、各定着要素１０とブッシュ６の間で空間的にアンダーカット部１４が形成されている。支持アーム５を形成するコア要素２は、アンダーカット部１４に係合するとともに、ブッシュ６を係合式にコア要素２の支持アーム５に結合させるものである。また、定着要素１０は、糸３を収容及びガイドする各ガイド面１７を形成するとともに、交点２１の方向において鈍角で形成されており、これにより、より良好な応力経過により、応力ピークを低減することが可能である。アンダーカット部１４に係合するコア要素２は、鋭角に合流する部分２４を更に形成しており、当該部分は、糸３を収容するとともに交点２１へガイドするために設けられており、当該部分２４は、それぞれ、各定着要素１０の各ガイド面１７を有する１つの平面に位置するガイド面２５を備えている。糸３は、ガイド面１７，２５に接触するとともに、共通の交点２１へガイドされる。また、糸３は、ブッシュ６の周囲で、及び長手方向において支持アーム５に沿って径方向にもガイドされる。横方向力に基づくせん断応力を受容するために、糸３は、支持アーム５の各端面８において、約２０°の角度で支持アーム５の長手方向においてガイドされており、当該角度は、各定着要素１０の幾何形状によって設定される。
【００３９】
図５ａによれば、第３の実施例において、各ブッシュ６は２つの定着要素１０を備えており、当該定着要素は、糸３を収容し、ガイドするために、図５ｂに図示された交点２１へ合流する。両定着要素１０は、丸められた先端部１５において互いに結合されている。先端部１５では空隙部２２が形成されており、当該空隙部は、両定着要素１０に対して横方向へ形成されているとともに、先端部１５からブッシュ６のパイプ状のブッシュ部分へ延びている。空隙部２２により、コア要素２がアンダーカット部１４へ入り込むことが可能となる。また、空隙部２２は、押出プレス法につづく方法ステップにおいて、例えば分離によって製造される。これに代えて、複数の空隙部２２を形成することも可能である。
【００４０】
図５ｂでは、空隙部２２がコア要素を収容しており、コア要素２は、ブッシュ６を支持アーム５と係合式に結合させるために、アンダーカット部１４と係合する。糸３は、各支持要素１０のガイド面１７に接触するとともに、共通の交点２１へガイドされる。また、糸３は、ブッシュ６の周囲で、及び長手方向において支持アーム５に沿って径方向にもガイドされる。横方向力に基づくせん断応力を受容するために、糸３は、支持アーム５の各端面８において、約２０°の角度で支持アーム５の長手方向においてガイドされており、当該角度は、各定着要素１０の幾何形状によって設定される。
【００４１】
図６ａによれば、第４の実施例において、各ブッシュ６は４つの定着要素１０を備えており、当該定着要素は、糸３を収容し、ガイドするために、図６ｂに図示された交点２１へ合流するが、互いに接触しない。定着要素１０は交点２１の方向において鈍角で形成されており、これにより、より良好な応力経過により、応力ピークを低減することが可能である。また、ブッシュ６は２つのガイドアーム１１を備えており、当該ガイドアームは、定着要素１０間でブッシュ長手軸線に関して軸方向に配置されており、それぞれ２つの定着要素１０は、軸方向においてガイドアーム１１の前方及び後方に配置されている。
【００４２】
図６ｂには、ガイドアーム１１が支持アーム５と同一の幅を備えていることが示されており、１つのガイドアーム１１が支持アーム５の上側に配置されており、１つのガイドアーム１１が支持アーム５の下側に配置されている。ガイドアーム１１は、ブッシュ６と糸３の間の付着面を拡大し、ブッシュ６は、少なくとも嵌合式に糸３に結合される。定着要素１０とブッシュ６のパイプ状のブッシュ部分の間には、空間的にアンダーカット部１４が形成されており、コア要素２は、ブッシュ６を支持アーム５と係合式に結合させるために、アンダーカット部１４と係合する。コア要素２は、鋭角に合流する部分２４を更に形成しており、当該部分は、糸３を収容するとともに交点２１へガイドするために設けられており、当該部分２４は、それぞれ、各定着要素１０の各ガイド面１７を有する１つの平面に位置するガイド面２５を備えている。糸３は、ガイド面１７，２５に接触するとともに、共通の交点２１へガイドされる。また、糸３は、ブッシュ６の周囲で、及び長手方向においてガイドアーム１１のガイド面２６に沿って、及び支持アーム５に沿って径方向にもガイドされる。これにより、さらに、ブッシュ６と糸３の間の嵌合式の結合が形成される。横方向力に基づくせん断応力を受容するために、糸３は、支持アーム５の各端面８において、約２０°の角度で支持アーム５の長手方向においてガイドされており、当該角度は、各定着要素１０の幾何形状によって設定される。
【符号の説明】
【００４３】
１              ４点サスペンションアーム
２              コア要素
３              糸
４              ねじり要素
５              支持アーム
６              ブッシュ
７              支持アームの長手軸線
８              支持アームの端面
９              ４点サスペンションアームの長手軸線
１０            定着要素
１１            ガイドアーム
１２            定着脚部
１３            凹部
１４            アンダーカット部
１５            先端部
１６            ウェブ
１７            ガイド面
１８            中空部
１９            溝
２０            側面
２１            交点
２２            空隙部
２３            凹部
２４            部分
２５            ガイド面
２６            ガイド面
【図１】
2020517514.tif 000003
【図２】
2020517514.tif 000004
【図３ａ】
2020517514.tif 000005
【図３ｂ】
2020517514.tif 000006
【図４ａ】
2020517514.tif 000007
【図４ｂ】
2020517514.tif 000008
【図５ａ】
2020517514.tif 000009
【図５ｂ】
2020517514.tif 000010
【図６ａ】
2020517514.tif 000011
【図６ｂ】
2020517514.tif 000012
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
コア要素（２）と、糸（３）と、４つのブッシュ（６）とを含む、車両の車輪懸架部のための４点サスペンションアーム（１）であって、前記糸（３）が樹脂によってあらかじめ含浸されており、さらに、前記コア要素（２）が、ねじり要素（４）と、該ねじり要素（４）と一体的に結合された４つの支持アーム（５）とを備えており、前記コア要素（２）及び前記各ブッシュ（６）が、少なくとも部分的に前記糸（３）で巻き付けられており、前記各ブッシュ（６）が、各軸受要素を収容するために前記各支持アーム（５）の各先端部に配置されており、前記各ブッシュ（６）が少なくとも１つの定着要素（１０）を備えており、該少なくとも１つの定着要素（１０）と前記ブッシュ（６）の間に少なくとも１つのアンダーカット部（１４）が形成されており、前記コア要素（２）が、該コア要素（２）の前記支持アーム（５）との前記ブッシュ（６）の係合式の結合のために前記アンダーカット部（１４）に係合しており、巻付けプロセス中に前記糸を収容及びガイドするために、前記各ブッシュ（６）及びその少なくとも１つの定着要素（１０）が前記各支持アーム（５）よりも大きな幅を有していることを特徴とする４点サスペンションアーム。
【請求項２】
前記少なくとも１つの定着要素（１０）が、少なくとも１つのウェブ（１６）を介して前記各ブッシュ（６）と一体的に結合されており、前記少なくとも１つのウェブ（１６）が、前記糸（３）の収容及びガイドのためにそれぞれガイド面（１７）を備えていることを特徴とする請求項１に記載の４点サスペンションアーム（１）。
【請求項３】
前記各ブッシュ（６）が、中空空間（１８）を包囲する２つのウェブ（１６）を備えており、前記両ウェブ（１６）が、前記支持アーム（５）の方向へ合流するとともに前記定着要素（１０）へつながっており、前記少なくとも１つの定着要素（１０）が２つの溝（１９）を備えており、該溝が、前記コア要素（２）を収容する前記各アンダーカット部（１４）を形成しているとともに、前記コア要素（２）の前記支持アーム（５）との前記ブッシュ（６）の係合式の結合のために設けられていることを特徴とする請求項１又は２に記載の４点サスペンションアーム（１）。
【請求項４】
前記各ブッシュ（６）が、前記糸（３）を収容及びガイドするための２つのガイドアーム（１１）を備えていることを特徴とする請求項１〜３のいずれか１項に記載の４点サスペンションアーム（１）。
【請求項５】
前記少なくとも１つの定着要素（１０）が、前記糸（３）を収容し、交点（２１）へガイドする少なくとも１つの側面（２０）を備えていることを特徴とする請求項１〜４のいずれか１項に記載の４点サスペンションアーム（１）。
【請求項６】
前記各ブッシュ（６）が２つの定着要素（１０）を備えており、該定着要素が、前記糸（３）を収容及びガイドするために前記交点（２１）へ合流しているとともに先端部（１５）において互いに結合されており、該先端部（１５）には、前記ブッシュ（６）の方向へ前記コア要素（２）を収容する少なくとも１つの空隙部（２２）が形成されており、前記コア要素（２）が、前記ブッシュ（６）を前記コア要素（２）の前記支持アーム（５）と係合式に結合させる前記アンダーカット部（１４）に係合していることを特徴とする請求項１〜５のいずれか１項に記載の４点サスペンションアーム（１）。
【請求項７】
ちょうど１つの糸（３）が、前記コア要素（２）及び前記各ブッシュ（６）に複数回巻き付けられていることを特徴とする請求項１〜６のいずれか１項に記載の４点サスペンションアーム（１）。
【請求項８】
前記コア要素（２）が発泡材料で形成されていることを特徴とする請求項１〜７のいずれか１項に記載の４点サスペンションアーム（１）。
【請求項９】
前記各ブッシュ（６）が金属材料で形成されていることを特徴とする請求項１〜８のいずれか１項に記載の４点サスペンションアーム（１）。
【請求項１０】
前記糸（３）が、前記各支持アーム（５）において、前記各支持アーム（５）の各長手軸線（７）に対して本質的に平行にガイドされていることを特徴とする請求項１〜９のいずれか１項に記載の４点サスペンションアーム（１）。
【請求項１１】
前記糸（３）が、前記各支持アーム（５）の各端面（８）において、前記各支持アーム（５）の各長手軸線（７）に対して１５〜４５°の角度範囲でガイドされていることを特徴とする請求項１〜１０のいずれか１項に記載の４点サスペンションアーム（１）。
【請求項１２】
前記糸（３）が、前記ねじり要素（４）において、当該４点サスペンションアーム（１）の長手軸線（９）に対して４０〜６０°の角度範囲でガイドされていることを特徴とする請求項１〜１１のいずれか１項に記載の４点サスペンションアーム（１）。
【国際調査報告】
2020517514.tif 000013
2020517514.tif 000014
2020517514.tif 000015
2020517514.tif 000016
2020517514.tif 000017
2020517514.tif 000018